(57)【要約】【課題】広い設置スペースを必要とせず、調理作業を妨げることがなく、吸込効率も高い、吸込グリルを提供する。【解決手段】吸込グリル１０は、空気吸引装置と連通した状態で垂直壁面７に開設された長方形の排気口１２に装着される長方形の枠状体１と、電磁調理台９付近の空気を導入するため枠状体１の正面開口部１ａと連設された吸気経路５と、吸気経路５内に水平配置された複数の整流ベーン４と、正面開口部１ａを開閉するため正面開口部１ａの上方に水平支軸１４を介して回動可能に軸支された平板状の蓋体２と、蓋体２の前縁部２ａが水平支軸１４よりも高い傾斜姿勢で蓋体２を保持するための係脱可能な保持機構１５と、を備えている。吸気経路５を空気流の導入方向に向かって徐々に縮径させるため、枠状体１の内周面の上下部分にそれぞれ膨出部１ｂ，１ｃが設けられている。【選択図】  図２
2007017031.tif 000002
【特許請求の範囲】
【請求項１】
空気吸引装置と連通した状態で調理台周囲の垂直壁面に開設された排気口に装着される枠状体と、前記調理台付近の空気を導入するため前記枠状体の正面開口部と連設された吸気経路と、前記正面開口部を開閉するため少なくとも前記正面開口部の上方に設けられた水平支軸を介して回動可能に軸支された蓋体と、前記正面開口部を開いた姿勢で前記蓋体を保持するための係脱可能な保持機構と、を備えたことを特徴とする吸込グリル。
【請求項２】
前記吸気経路を空気流の導入方向に向かって徐々に縮径させるため前記枠状体の内周面に膨出部を設けたことを特徴とする請求項１記載の吸込グリル。
【請求項３】
前記保持機構として、前記正面開口部を開いた姿勢にある前記蓋体および前記枠状体に互いに嵌合・離脱可能な凹部、凸部を設けたことを特徴とする請求項１または２記載の吸込グリル。
【請求項４】
前記正面開口部を開いた姿勢にある前記蓋体の後縁部と前記枠状体の内周面とが連続面を形成することを特徴とする請求項１〜３のいずれかに記載の吸込グリル。
【請求項５】
前記正面開口部を開いた姿勢にある前記蓋体の後縁部と前記膨出部とが連続面を形成することを特徴とする請求項２または３記載の吸込グリル。
【発明の詳細な説明】
【技術分野】
【０００１】
本発明は、一般家庭のキッチンや飲食店の厨房などにおいて加熱調理台付近に設けられる換気システムを構成する吸込グリルに関する。
【背景技術】
【０００２】
一般家庭のキッチンなどにおける換気システムとしては、従来、レンジフードファンが使用されてきた。従来のレンジフードファンは、加熱調理台の上方に配置されたフードから煙などを吸い込んで、屋外へ排出するというものが一般的である。ところが、レンジフードファンの場合、加熱調理台の上方にフードを設置するためのスペースが必要であるため、比較的広いキッチンでなければ採用することができず、狭いキッチンに無理に設置すると調理作業に支障を来すことがあった。また、加熱調理台からフードに至るまでの途中にある壁面は煙が直接触れるため、油分を含んだ煙などによって壁面が汚れることも多かった。
【０００３】
さらに、加熱調理台にＩＨクッキングヒータ（Ｉｎｄｕｃｔｉｏｎ  Ｈｅａｔｅｒ：電磁誘導加熱方式ヒータ）が採用されている場合、ガスレンジと異なり、ガス燃焼による上昇気流が発生し難いので、加熱調理台の上方に配置されたレンジフードから吸い込む換気方式では吸込効率が悪くなる。このため、吸引力の強い空気吸引装置を必要とし、装置の大型化や消費電力の増大を招くことがある。そこで、加熱調理台の近くに吸込口を配置した排気技術が提案されている（例えば、特許文献１，２参照。）。
【０００４】
【特許文献１】実開昭５９−１６１４１６号公報
【特許文献２】特開２０００−４６３９３号公報。
【発明の開示】
【発明が解決しようとする課題】
【０００５】
特許文献１記載の「調理用排気装置」においては、鉛直方向に配設された排気経路の上端に斜め傾斜した吸込口が設けられているため、調理中の被加熱物から発生して上昇しようとする煙などを下方へＵターンさせて吸い込むこととなり、吸込効率が悪い。また、この吸込口および排気経路は周囲の空気を重力方向に吸い込むように配置されているため、調理物から飛散した水滴、油滴あるいは食材片などが吸込口内へ吸引されやすく、吸込口内の放熱通風材や排気ダクト内面に水滴や油滴などが付着することが多い。
【０００６】
一方、特許文献２記載の「排気ダクトの吸込口構造」は、吸込口自体はやや傾斜しているものの吸込方向は水平であるため、特許文献１記載の「調理用排気装置」よりも吸込効率は高く、調理物から飛散した水滴、油滴あるいは食材片などを吸引する可能性は低い。しかしながら、この「排気ダクトの吸込口構造」の場合、吸引効率を向上させる目的で調理台の上方に立上り整流板が設けられているため、従来のレンジフードと同様、この立上り整流板を設置するためのスペースを必要とし、狭いキッチンに採用すると、調理作業を妨げるおそれがある。
【０００７】
本発明が解決しようとする課題は、広い設置スペースを必要とせず、調理作業を妨げることがなく、吸込効率も高い、吸込グリルを提供することにある。
【課題を解決するための手段】
【０００８】
本発明の吸込グリルは、空気吸引装置と連通した状態で調理台周囲の垂直壁面に開設された排気口に装着される枠状体と、前記調理台付近の空気を導入するため前記枠状体の正面開口部と連設された吸気経路と、前記正面開口部を開閉するため少なくとも前記正面開口部の上方に設けられた水平支軸を介して回動可能に軸支された蓋体と、前記正面開口部を開いた姿勢で前記蓋体を保持するための係脱可能な保持機構と、を備えたことを特徴とする。
【０００９】
このような構成とすれば、空気吸引装置により、調理台付近には、保持機構により蓋体が開いた姿勢で保持された正面開口部に向かって移動する空気流が発生するが、この空気流は、正面開口部を開いた姿勢で保持された蓋体に誘導され、正面開口部に向かって集中的に移動しながら吸気経路内へ吸い込まれるため、高い吸気効率が得られる。また、この吸込グリルは調理台周囲の垂直壁面に取り付けられるため、広い設置スペースを必要とせず、調理物から発生する煙などが広く拡散する前に吸込可能であり、吸気効率の向上に有効である。さらに、保持機構により蓋体は正面開口部を開いた姿勢で保持されるため、調理作業を妨げることもない。なお、正面開口部を開いた姿勢で保持された蓋体は保持機構を解除すれば回動可能となるため、不使用時は、正面開口部を覆う方向に蓋体を回動させて開口部を閉塞することができ、これによって外部からの吹き込みを防止することができる。
【００１０】
ここで、前記吸気経路を空気流の導入方向に向かって徐々に縮径させるため前記枠状体の内周面に膨出部を設けることが望ましい。このような構成とすれば、吸気経路の断面積は空気流の導入方向に向かって徐々に狭まった形状となり、吸気経路に吸い込まれた煙などの流速が増大するため、空気流の吸引作用が高まることとなり、さらに吸込効率が向上する。なお、「縮径させる」とは、吸気経路の断面積を縮小させることをいうが、この場合、吸気経路の断面形状は、円形、楕円形、長円形あるいは四角形を含む多角形などの特定形状に限定するものではない。
【００１１】
また、前記保持機構として、前記正面開口部を開いた姿勢にある前記蓋体および前記枠状体に互いに嵌合・離脱可能な凹部、凸部を設けることが望ましい。このような構成とすれば、蓋体、枠状体にそれぞれ設けられた凹部、凸部を互いに嵌合、離脱させるという極めて簡単な操作により、蓋体を傾斜姿勢に保持したり、保持を解除したりすることができるため、操作性が向上する。
【００１２】
一方、前記正面開口部を開いた姿勢にある前記蓋体の後縁部と前記枠状体の内周面とが連続面を形成するようにすれば、蓋体を、正面開口部を開いた姿勢に保持したとき、蓋体の後縁部と枠状体の内周面との隣接部分が滑らかな面で連続した形状となる。このため、この部分を通過する空気流の風切り音が抑制され、静粛性が高まる。また、この部分を通過する空気流の通過抵抗も減少するため、吸込効率の向上に有効である。
【００１３】
また、前記正面開口部を開いた姿勢にある前記蓋体の後縁部と前記膨出部とが連続面を形成するようにすれば、蓋体を、正面開口部を開いた姿勢に保持したとき、蓋体の後縁部と枠状体の内周面の膨出部とが滑らかな面で連続した状態となるため、蓋体に沿って吸い込まれた煙などは速やかに膨出部へ誘導されることとなり、吸込効率がさらに向上する。
【発明の効果】
【００１４】
本発明により、広い設置スペースを必要とせず、調理作業を妨げることがなく、吸込効率も高い、吸込グリルを提供することができる。
【発明を実施するための最良の形態】
【００１５】
以下、図面を参照して、本発明の実施の形態について説明する。図１は本発明の第１実施形態である吸込グリルの使用状態を示す斜視図、図２は図１におけるＡ−Ａ線付近の断面図、図３は図１に示す吸込グリルの正面図、図４は図１に示す吸込グリルの右側面図、図５は図３におけるＢ−Ｂ線断面図である。また、図６（ａ）は図５に示す吸込グリルを蓋体閉止状態で示す平面図、図６（ｂ）は前記吸込グリルの正面図、図７は図６（ｂ）におけるＣ−Ｃ線断面図である。
【００１６】
図１，図２に示すように、本実施形態の吸込グリル１０は、電磁調理台９の背面側に位置する垂直壁面７を水平方向に貫通して形成された排気経路１３に内挿された排気ダクト６の排気口１２に取り付けられている。また、吸込グリル１０の右側の垂直壁面７には、後述する空気吸引装置のＯＮ，ＯＦＦ操作および吸引風量制御などを行うための操作ボックス１１が配置されている。排気ダクト６は排気経路１３を貫通して垂直壁面７の外側に配設されるとともに、空気吸引装置（図示せず）に連結されている。
【００１７】
図２〜図５に示すように、吸込グリル１０は、空気吸引装置と連通した状態で垂直壁面７に開設された長方形の排気口１２に装着される長方形の枠状体１と、電磁調理台９付近の空気を導入するため枠状体１の正面開口部１ａと連設された吸気経路５と、吸気経路５内に水平配置された複数の整流ベーン４と、正面開口部１ａを開閉するため正面開口部１ａの上方に水平支軸１４を介して回動可能に軸支された平板状の蓋体２と、正面開口部１ａを開いた状態で蓋体２を保持するための係脱可能な保持機構１５と、を備えている。蓋体２の正面中央の下方には、蓋体２の開閉操作を行う際に手指で摘むための球状の突起部３が設けられている。また、図５に示すように、吸気経路５を空気流の導入方向Ｓに向かって徐々に縮径させるため、枠状体１の内周面の上下部分にそれぞれ膨出部１ｂ，１ｃが設けられている。
【００１８】
図５に示すように、水平支軸１４は、蓋体２の後縁寄りの部分に設けられた一部切欠円筒状の把持部２ｂ内に挿入された状態で把持部２ｂに固定されており、蓋体２の左右側面から突出する水平支軸１４の端部が、枠状体１に設けられた、水平支軸１４の外径より内径の大きな軸受穴１６に挿入されている。即ち、水平支軸１４は、軸受穴１６内に遊びを持った状態で挿入されている。また、正面開口部１ａを開いた姿勢にある蓋体２を、その姿勢で係脱可能に保持するための保持機構１５として、傾斜姿勢にある蓋体２および枠状体１に互いに嵌合・離脱可能な凸部１５ｂ、凹部１５ａが設けられている。
【００１９】
従って、蓋体２を開いて傾斜状態まで持ち上げ、水平支軸１４が軸受穴１６内で斜めに移動するように蓋体２全体を移動させ、蓋体２の後縁に設けられた凸部１５ｂを、枠状体１に設けられた凹部１５ａに嵌合させれば、蓋体２は傾斜状態に保持される。また、水平支軸１４が軸受穴１６内で前記と逆斜めに移動するように蓋体２全体を移動させれば、蓋体２の凸部１５ｂが凹部１５ａから離脱して、蓋体２は水平支軸１４を中心に回動可能となる。また、図５に示すように、蓋体２が傾斜姿勢にあるとき、蓋体２の後縁部と枠状体１の内周面の膨出部１ｂとが連続面を形成している。
【００２０】
次に、図１〜図５を参照しながら、吸込グリル１０の使い方について説明する。吸込グリル１０の蓋体２の突起部３を手指で摘んで持ち上げ、蓋体２の後縁に設けられた凸部１５ｂを、枠状体１に設けられた凹部１５ａに嵌合させることにより、図１に示すように、蓋体２を傾斜状態に保持する。この後、操作ボックス１１を操作して空気吸引装置を作動させると、電磁調理台９付近には、枠状体１の正面開口部１ａに向かって移動する空気流が発生する。この空気流は、傾斜姿勢に保持された蓋体２に誘導され正面開口部１ａに向かって集中するように移動しながら吸気経路５内へ吸い込まれるため、高い吸気効率が得られる。
【００２１】
また、吸込グリル１０は電磁調理台９の背面に位置する垂直壁面７に取り付けられるため、広い設置スペースを必要とせず、電磁調理台９上の調理物（図示せず）から発生する煙などが広く拡散する前に吸込可能であり、吸気効率に優れている。さらに、蓋体２は少なくともその前縁部２ａが水平支軸１４よりも高い傾斜姿勢で保持されるため、電磁調理台９上における調理作業を妨げることもない。
【００２２】
また、吸気経路５を空気流の導入方向Ｓに向かって徐々に縮径させるため、枠状体１の内周面の上下部分にそれぞれ膨出部１ｂ，１ｃを設けているため、吸気経路５の断面積は空気流の導入方向Ｓに向かって徐々に狭まった形状となっている。このため、吸気経路５に吸い込まれた煙などは導入方向Ｓに沿って進行するにつれて流速が増大し、空気流の吸引作用が高まるため、優れた吸込効率を発揮する。
【００２３】
また、蓋体２を、正面開口部１ａを開いた姿勢で係脱可能に保持するための保持機構１５として、蓋体２および枠状体１に互いに嵌合・離脱可能な凸部１５ｂ、凹部１５ａを設けている。従って、蓋体２、枠状体１にそれぞれ設けられた凸部１５ｂ、凹部１５ａを互いに嵌合、離脱させるという簡単な操作で、蓋体２を傾斜姿勢に保持したり、保持を解除したりすることができるため、操作性も良好である。
【００２４】
さらに、図５に示すように、蓋体２が傾斜姿勢にあるとき、蓋体２の後縁部と枠状体１の内周面の膨出部１ｂとが連続面を形成しているため、この部分を通過する空気流の風切り音は極めて小さく、静粛性が良好である。また、この部分を通過する空気流の通過抵抗も減少するため、吸込効率の向上に有効である。
【００２５】
なお、本実施形態においては、吸込グリル１０は、その枠状体１の下端部が電磁調理台９から約３５０ｍｍ程度の高さに位置するように垂直壁面７に取り付けられている関係上、蓋体２は、その前縁部２ａが水平支軸１４よりも高い傾斜姿勢（垂直壁面７から約１３５度起立した傾斜姿勢）に保持されているが、これに限定するものではない。従って、吸込グリル１０の取り付け高さに応じて、正面開口部１ａを開いた状態にある蓋体２の保持角度を任意に設定することも可能である。例えば、枠状体１の下端部が電磁調理台９から３５０ｍｍを超える高さに取り付けられる場合は、蓋体２の保持角度を１３５度よりも小さくすることが望ましい。
【００２６】
次に、図６，図７を参照して、不使用中の吸込グリル１０について説明する。図１〜図５で示したように、傾斜姿勢にある蓋体２は、その凸部１５ｂを枠状体１の凹部１５ａから離脱させれば保持機構１５が解除され、水平支軸１４を中心に回動可能となる。従って、操作ボックス１１の操作により空気吸引装置を停止させた後、保持機構１５を解除し、蓋体２を、枠状体１の正面開口部１ａを覆う方向に回動させれば、図６，図７に示すように、蓋体２によって正面開口部１ａを閉塞することができる。
【００２７】
図６，図７に示す状態においては、正面開口部１ａは蓋体２によって閉塞されているため、外気が流れ込んだり、空気中の塵埃などが吸気経路５内に流入したりするのを防止することができる。本実施形態の場合、閉塞中は、蓋体２の前縁部２ａに設けられた凸部２ｃが、枠状体１の正面開口部１ａの下方に設けられた凹部１ｄに係脱可能に係合されているため、外気の吹き込みなどによって蓋体２がガタついたり、開いたりすることもない。なお、正面開口部１ａを閉塞している蓋体２を枠状体１に係脱可能に係合させる機構としては、前述した凸部２ｃと凹部１ｄとの組合せに限定するものではないので、互いに係合・離脱可能なマグネット機構やロック機構などを採用することもできる。
【００２８】
また、蓋体２の開閉操作についても、前述した手動操作方式に限定するものではないので、例えば、操作ボックス１１のスイッチ操作によってＯＮ・ＯＦＦされる空気吸引装置の電動ファン（図示せず）と連動して蓋体２が自動的に開閉する方式などを採用することもできる。
【００２９】
本実施形態の吸込グリル１０においては、水平支軸１４で軸支された１枚の蓋体２によって正面開口部１ａを開閉する構造としているが、本発明はこれに限定するものではないので、例えば、上下に分割された複数の蓋体で正面開口部を開閉する構造とすることもできる。この場合、上方の蓋体は蓋体２と同様に回動して開閉され、下方の蓋体は正面開口部の下方に水平支軸を介して回動可能に軸支されるとともに、上方の蓋体を下方の蓋体より広くすることが望ましい。一方、蓋体２の左右の側縁部に、水平支軸１４付近を中心とする扇形のガイド板を蓋体２と直角に連設し、これらのガイド板が蓋体２の開閉操作に伴って正面開口部１ａ内の左右部分から出没する構造とすることもできる。このような構造とすれば、吸引効率のさらなる向上を図ることができる。
【００３０】
本実施形態においては、吸込グリル１０を構成する枠状体１および蓋体２は、アルミニウム合金の押出成形材により形成しているため、連続した断面形状の均一性に優れたものとなっているが、これに限定するものではないので、アルミニウム合金以外の材料、押出成形材以外の部材を用いて形成することもできる。
【００３１】
次に、図８〜図１１を参照して、本発明の第２実施形態である吸込グリルについて説明する。図８は本発明の第２実施形態である吸込グリルを蓋体開放状態で示す一部省略正面図、図９は図８におけるＤ−Ｄ線断面図、図１０は図９における矢線Ｐ方向から見た蓋体の背面図、図１１は図１０に示す水平支軸の組み立て工程を示す図である。なお、図８〜図１１において図１〜図７中の符号と同符合を付している部分は第１実施形態の吸込グリル１０の構成部材と同じ構造、機能を有する部分であるため、説明を省略する。
【００３２】
図８に示すように、本実施形態の吸込グリル２０においては、蓋体２の把持部２ｂの左右両端部にそれぞれ突設された水平支軸２４ａ，２４ｂが、それぞれ軸受穴１６内に遊びを持った状態で挿入されている。蓋体２は水平支軸２４ａ，２４ｂを中心に回動可能であり、図９に示すように、水平支軸２４ａ，２４ｂと軸受穴１６内との遊びを利用して、凸部１５ｂと凹部１５ａとを嵌合・離脱させることができ、これらの機能については、第１実施形態の吸込グリル１０と同様である。
【００３３】
吸込グリル２０の場合、図１０に示すように、左側の水平支軸２４ｂは把持部２ｂ内の孔部２ｃ内に固定されているが、右側の水平支軸２４ａは孔部２ｄ内にその軸方向に沿ってスライド可能に挿通されており、孔部２ｄ内には、水平支軸２４ａの先端部２２を孔部２ｄの端部から突出する方向へ付勢するバネ２５と、バネ２５の端部を保持する固定軸２４ｃとが配置されている。固定軸２４ｃは孔部２ｄ内の水平支軸２４ａよりも深い位置（水平支軸２４ｂ寄りの位置）に固定され、固定軸２４ｃと水平支軸２４ａとの間にバネ２５が配置され、固定軸２４ｃの突起部２７と、水平支軸２４ａの突起部２６とがそれぞれバネ２５の両端部に挿入係合されている。
【００３４】
また、水平支軸２４ａの先端部２２を孔部２ｄ内へ引っ込めたり、孔部２ｄから出したりの操作を行うために、水平支軸２４ａの基端寄りの位置（突起部２６寄りの位置）に把持部２ｂのスリット２ｃから突出する状態で操作軸２１が設けられている。バネ２５の付勢力により、平常、水平支軸２４ａの先端部２２は孔部２ｄの右端から突出した状態にあるが、把持部２ｂの軸方向に開設されたスリット２ｃに沿って操作軸２１を固定軸２４ｃ側へ移動させれば、水平支軸２４ａの先端部２２は孔部２ｄ内へ引っ込み、操作軸２１に加えている力を解除すれば、バネ２５の付勢力により、水平支軸２４ａの先端部２２は孔部２ｄから突出する。
【００３５】
従って、図９に示す状態にあるとき、操作軸２１をスリット２ｃに沿って固定軸２４ｃ側へ移動させれば、水平支軸２４ａの先端部２２は、孔部２ｄ内へ引っ込み、軸受穴１６から離脱するため、操作軸２１に力を加えた状態のまま蓋体２の右側を引っ張れば、蓋体２を枠状体１から離脱させることができる。従って、必要に応じて、蓋体２を取り外すことができ、清掃などを行う際に便利である。また、前述と逆の手順をとれば、蓋体２を元通り枠状体１に装着することができるため、蓋体２の脱着は容易である。なお、蓋体２を持ち上げて操作軸２１を手指で操作可能な状態にすれば、図９に示す状態でなくても、枠状体１に対する蓋体２の脱着を行うことができる。
【００３６】
ここで、図１１を参照して、水平支軸２４ａ、バネ２５および固定軸２４ｃの組み立て工程について説明する。図１１に示すように、水平支軸２４ａおよび固定軸２４ｃにそれぞれ設けられた突起部２６，２７は、円柱状の基部２６ｂ，２７ｂと、基部２６ｂ，２７ｂの先端に、これらよりも太く、バネ２５の内部に嵌入可能な外径で形成されたストッパ部２６ａ，２７ａとで構成され、ストッパ部２６ａの先端は徐々に縮径した形状となっている。また、固定軸２４ｃの外径は孔部２ｄの内径と略同径であり、水平支軸２４ａの外径は、孔部２ｄの内径より若干小さく形成されている。
【００３７】
従って、図１１に示すように、蓋体２の把持部２ｂの孔部２ｄ内へ固定軸２４ｃを圧入して適切な位置に固定した後、バネ２５を孔部２ｄ内へ挿入し、最後に、操作軸２１をスリット２ｃの位置に合わせた姿勢で水平支軸２４ａを孔部２ｄ内へ挿入し、固定軸２４ｃに向かって押圧すれば、突起部２６，２７全体がそれぞれバネ２５の両端から内部へ挿入されるとともに、それぞれのストッパ部２６ａ，２７ｂがバネ２５の内部に係合され、組み立てが完了する。組み立て完了後、水平支軸２４ａは、バネ２５により孔部２ｄの端部から突出する方向へ付勢された状態で、孔部２ｄ内にスライド可能に保持されるため、前述した操作軸２１による操作が可能となる。
【００３８】
次に、図１２〜図１４を参照して、本発明の第３実施形態について説明する。図１２は本発明の第３実施形態である吸込グリルを排気ダクトに装着した状態で示す右側面図、図１３は図１２のＥ−Ｅ線付近における断面図、図１４は図１２に示す吸込グリルの部分平面図である。
【００３９】
図１２，図１３に示すように、本実施形態においては、吸込グリル３０を構成する側面部材３１の外面に、排気ダクト３８の左右側面内にそれぞれ配置された係止部材３４の係合部３４ａが嵌入、離脱可能な係止凹部３７と、係合部３４ａを係止凹部３７へ誘導するための斜面部３５および平面部３６と、が形成され、側面部材３１の外面に螺着された複数のネジ３３の周囲および側面部材３１の周縁などにリブ３２が形成されている。複数のネジ３３は、側面部材３１と上面部材３９（図１４参照）などとを固定するために螺着されている。係止部材３４は、弾性を有する板材で形成され、図１３に示すように、側面部材３１方向に略Ｖ形状に突出した係合部３４ａが設けられている。
【００４０】
吸込グリル３０の取り付け施工の際に、吸込グリル３０を排気ダクト３８内へ差し込んでいくと、側面部材３１の斜面部３５が係止部材３４の係合部３４ａに当接し、その楔作用により、係合部３４ａを排気ダクト３８の外方向へ拡げた後、平面部３６が係合部３４ａに当接し、最終的に、係合部３４ａが係止凹部３７内に嵌り込むため、これによって、吸込グリル３０が排気ダクト３８に固定される。逆に、吸込グリル３０を引き出す方向に力を加えれば、前述と逆の過程をとりながら、側面部材３１の係合凹部３７が係合部３４ａから離脱するので、吸込グリル３０を排気ダクト３８から取り外すことができる。
【００４１】
また、図１２および図１４に示すように、吸込グリル３０の側面部材３１の周縁およびネジ３３の周囲などに設けられたリブ３２は、ネジ３３の頭部の高さより高く形成されているため、ネジ３３の頭部がリブ３２から突出することがない。このため、排気ダクト３８に吸込グリル３０を着脱する際に、ネジ３３の頭部が排気ダクト３８の内面や係止部材３４などに引っ掛かって着脱作業に支障を来すこともない。
【００４２】
本実施形態における側面部材３１は、アルミ合金を素材とする鋳造品であるため、ビス孔（図示せず）やリブ３２などを有する複雑な形状であっても、比較的容易に高精度のものを製造することができる。また、溶接加工を施すことなく、ネジ３３による組み立てが可能であるため、完成品である吸込グリル３０に熱歪みなどが発生せず、高水準の組み立て精度を得ることができる。なお、側面部材３１の構成素材や製造方法などは本実施形態に限定するものではないので、アルミ合金以外の金属材料や合成樹脂材料を用いることが可能であり、鋳造以外の製造方法を採用することもできる。
【産業上の利用可能性】
【００４３】
本発明の吸込グリルは、一般家庭のキッチンや飲食店の厨房などの換気システムの構成部材として広く利用することができる。
【図面の簡単な説明】
【００４４】
【図１】本発明の第１実施形態である吸込グリルの使用状態を示す斜視図である。
【図２】図１におけるＡ−Ａ線付近の断面図である。
【図３】図１に示す吸込グリルの正面図である。
【図４】図１に示す吸込グリルの右側面図である。
【図５】図３におけるＢ−Ｂ線断面図である。
【図６】（ａ）は図５に示す吸込グリルを蓋体閉止状態で示す平面図であり、（ｂ）は前記吸込グリルの正面図である。
【図７】図６（ｂ）におけるＣ−Ｃ線断面図である。
【図８】本発明の第２実施形態である吸込グリルを蓋体開放状態で示す一部省略正面図である。
【図９】図８におけるＤ−Ｄ線断面図である。
【図１０】図９における矢線Ｐ方向から見た蓋体の背面図である。
【図１１】図１０に示す水平支軸の組み立て工程を示す図である。
【図１２】本発明の第３実施形態である吸込グリルを排気ダクトに装着した状態で示す右側面図である。
【図１３】図１２のＥ−Ｅ線付近における断面図である。
【図１４】図１２に示す吸込グリルの部分平面図である。
【符号の説明】
【００４５】
１  枠状体
１ａ  正面開口部
１ｂ，１ｃ  膨出部
１ｄ，１５ａ  凹部
２  蓋体
２ａ  前縁部
２ｂ  把持部
２ｃ，１５ｂ  凸部
２ｄ  孔部
２ｃ  スリット
３  突起部
４  整流ベーン
５  吸気経路
６，３８  排気ダクト
７  垂直壁面
９  電磁調理台
１０，２０，３０  吸込グリル
１１  操作ボックス
１２  排気口
１３  排気経路
１４，２４ａ，２４ｂ  水平支軸
１５  保持機構
１６  軸受穴
２１  操作軸
２２  先端部
２４ｃ  固定軸
２５  バネ
２６，２７  突起部
２６ａ，２７ａ  ストッパ部
２６ｂ，２７ｂ  基部
３１  側面部材
３２  リブ
３３  ネジ
３４  係止部材
３４ａ  係合部
３５  斜面部
３６  平面部
３７  係止凹部
３９  上面部材
Ｐ  矢線
Ｓ  導入方向
【図１】
2007017031.tif 000003
【図２】
2007017031.tif 000004
【図３】
2007017031.tif 000005
【図４】
2007017031.tif 000006
【図５】
2007017031.tif 000007
【図６】
2007017031.tif 000008
【図７】
2007017031.tif 000009
【図８】
2007017031.tif 000010
【図９】
2007017031.tif 000011
【図１０】
2007017031.tif 000012
【図１１】
2007017031.tif 000013
【図１２】
2007017031.tif 000014
【図１３】
2007017031.tif 000015
【図１４】
2007017031.tif 000016